(57)【要約】【課題】  シンクと仮置き部材とを備え、仮置き部材を異なる高さに架設することができるシンクユニットを提供すること。【解決手段】  本発明のシンクユニットは、仮置き部材をシンクに架設した状態での作業が可能なシンクユニットであって、下記に定義する第１支持面と第２支持面が内側面に形成された前記シンクと、同一方向の部材寸法を、前記第１支持面に架け渡す場合の第１寸法と、前記第２支持面に架け渡す場合の第２寸法とに切り替えるための寸法調整部を有する前記仮置き部材と、を備えたシンクユニットである。  第１支持面：高い方でかつ対向距離が長い方の一対の支持面  第２支持面：低い方でかつ対向距離が短い方の一対の支持面【選択図】  図３
2016013283.tif 000002
【特許請求の範囲】
【請求項１】
仮置き部材をシンクに架設した状態での作業が可能なシンクユニットであって、
下記に定義する第１支持面と第２支持面が内側面に形成された前記シンクと、
同一方向の部材寸法を、前記第１支持面に架け渡す場合の第１寸法と、前記第２支持面に架け渡す場合の第２寸法とに切り替えるための寸法調整部を有する前記仮置き部材と、
を備えたシンクユニット。
第１支持面：高い方でかつ対向距離が長い方の一対の支持面
第２支持面：低い方でかつ対向距離が短い方の一対の支持面
【請求項２】
前記仮置き部材は、仮置き部材本体と前記寸法調整部とを備え、
前記寸法調整部は、前記仮置き部材本体に対して上下方向に回転可能に取り付けられている請求項１に記載のシンクユニット。
【請求項３】
前記寸法調整部は、自重により下方に回転可能である請求項２に記載のシンクユニット。
【請求項４】
前記仮置き部材は、前記寸法調整部が下方に回転し、前記第２寸法の状態にある場合、
前記寸法調整部の下端は、前記仮置き部材本体の下面より低い位置にある請求項２又は３に記載のシンクユニット。
【請求項５】
下記に定義する第１支持面と第２支持面が内側面に形成されたシンクに架設して使用される、シンクユニットの仮置き部材であって、
同一方向の部材寸法を、前記第１支持面に架け渡す場合の第１寸法と、前記第２支持面に架け渡す場合の第２寸法とに切り替えるための寸法調整部を有する仮置き部材。
第１支持面：高い方でかつ対向距離が長い方の一対の支持面
第２支持面：低い方でかつ対向距離が短い方の一対の支持面
【発明の詳細な説明】
【技術分野】
【０００１】
本発明は、シンクユニット及び仮置き部材に関する。
【背景技術】
【０００２】
システムキッチンなどのシンクとして、調理器具や食材の洗浄を行うスペースを十分に確保するとともに、洗浄後の調理器具や食材の水きり、冷凍食材の解凍、下ごしらえなどを行う際に、調理器具や食材などを一時的に載置するためのスペースを確保するために、水切りプレートや調理プレート等の仮置き部材を架設することができるシンクが提案されている。
【０００３】
例えば、特許文献１には、天板部開口に水密に取り付けられたシンクの手前側及び奥行側フランジ部に奥行寸法が異なる上段レール部と下段レール部を形成し、向きを変えることで上記各上段レール部と下段レール部のいずれかに架設可能な各辺の寸法を有する作業板を装着可能としたシンク部構造が記載されている。
このような作業板を用いると、架設場所ごとに別の作業板を用意する必要がなく、１枚の作業板をシンク内の異なる高さに設置することができる。
【先行技術文献】
【特許文献】
【０００４】
【特許文献１】特開２００３−２６８８３１号公報
【発明の概要】
【発明が解決しようとする課題】
【０００５】
しかしながら、特許文献１に記載された作業板（仮置き部材）では、作業板の長辺寸法を上段レール部の奥行寸法とし、短辺寸法を下段レール部の奥行寸法としている。そのため、作業板を設置した際の幅方向（シンクの奥行方向に直交する方向）の寸法は、上段レール部に設置した場合は短辺寸法に定められ、下段レール部に設置した場合は長辺寸法に定められてしまう。従って、特許文献１に記載された作業板は、寸法設計の自由度が小さく、シンクのサイズや作業板の用途によっては、必ずしも使い勝手が良いものではないとの課題があった。
【課題を解決するための手段】
【０００６】
本発明者らは、このような課題を解決すべく鋭意検討し、向きを変えなくてもシンク内の異なる高さに設置することができる仮置き部材を備えたシンクユニット、及び、このシンクユニットに用いられる仮置き部材に係る本発明を完成した。
【０００７】
本発明のシンクユニットは、仮置き部材をシンクに架設した状態での作業が可能なシンクユニットであって、下記に定義する第１支持面と第２支持面が内側面に形成された上記シンクと、同一方向の部材寸法を、上記第１支持面に架け渡す場合の第１寸法と、上記第２支持面に架け渡す場合の第２寸法とに切り替えるための寸法調整部を有する上記仮置き部材と、を備えたシンクユニットである。
第１支持面：高い方でかつ対向距離が長い方の一対の支持面
第２支持面：低い方でかつ対向距離が短い方の一対の支持面
【０００８】
本発明のシンクユニットによれば、第１支持面及び第２支持面を備えたシンクと、寸法調整部を有する仮置き部材とを備えるため、仮置き部材をユーザの選択に応じて異なる高さに架設することができる。そのため、架設高さごとに、複数の仮置き部材を用意する必要がない。
また、本発明のシンクユニットによれば、寸法調整部が、仮置き部材の同一方向の部材寸法を、第１支持面に架け渡す場合の第１寸法と第２支持面に架け渡す場合の第２寸法とに切り替えるので、向きを変えることなく仮置き部材をシンクの異なる高さに架設することができる。そのため、本発明のシンクユニットでは、仮置き部材の幅方向（仮置き部材を架け渡す方向（架設方向）と水平面で直交する方向）の寸法を自由に設計することができる。
【０００９】
本発明のシンクユニットにおいて、上記仮置き部材は、仮置き部材本体と上記寸法調整部とを備え、上記寸法調整部は、上記仮置き部材本体に対して上下方向に回転可能に取り付けられていることが好ましい。
上記寸法調整部がこのように取り付けられている場合、複雑な構造を必要とせず、容易に上記第１寸法と上記第２寸法との間での切り替えを行うことができる。
【００１０】
本発明のシンクユニットにおいて、上記寸法調整部は、自重により下方に回転可能であることが好ましい。
この場合、仮置き部材を持ち上げるだけで、仮置き部材を上記第２寸法の状態とすることができる。
【００１１】
本発明のシンクユニットにおいて、上記仮置き部材は、上記寸法調整部が下方に回転し、上記第２寸法の状態にある場合、上記寸法調整部の下端が前記仮置き部材本体の下面より低い位置にあることが好ましい。
この場合、上記寸法調整部は、上記仮置き部材本体を支える脚部として機能することができ、上記仮置き部材を載置する際に、仮置き部材本体を浮かせた状態で載置することができる。そのため、仮置き部材が水切り構造を有する場合には、水切れがよくなる。
【００１２】
本発明の仮置き部材は、下記に定義する第１支持面と第２支持面が内側面に形成されたシンクに架設して使用される、シンクユニットの仮置き部材であって、同一方向の部材寸法を、上記第１支持面に架け渡す場合の第１寸法と、上記第２支持面に架け渡す場合の第２寸法とに切り替えるための寸法調整部を有する仮置き部材である。
第１支持面：高い方でかつ対向距離が長い方の一対の支持面
第２支持面：低い方でかつ対向距離が短い方の一対の支持面
【００１３】
本発明の仮置き部材は、寸法調整部を備えているため、高さの異なる第１支持面及び第２支持面を備えるシンクに架設する際に、いずれの支持面に対しても架設することができる。
また、本発明の仮置き部材では、寸法調整部が、仮置き部材の同一方向の部材寸法を、第１寸法と第２寸法とに切り替えるので、向きを変えることなく仮置き部材をシンクの異なる高さに架設することができる。そのため、上記仮置き部材では、幅方向（架設方向と水平面で直交する方向）の寸法を自由に設計することができる。
【発明の効果】
【００１４】
本発明のシンクユニット及び仮置き部材では、仮置き部材をシンクに架設する際に、向きを変えることなく仮置き部材を異なる高さに架設することができ、また、仮置き部材の幅方向の寸法の自由度も高い。
【図面の簡単な説明】
【００１５】
【図１】本発明の実施形態に係るシンクユニットを備えたシステムキッチンの一例を示す斜視図である。
【図２】（ａ）は、本発明の実施形態に係る仮置き部材の一例の平面図であり、（ｂ）は（ａ）のＡ−Ａ線断面図であり、（ｃ）は（ａ）の側面図である。
【図３】（ａ）は、図１に示したシンクユニットにおいて、図２に示した仮置き部材をシンクの第１支持面に架け渡した状態を示す部分斜視図であり、（ｂ）は（ａ）のＢ−Ｂ線断面図である。
【図４】（ａ）は、図１の示したシンクユニットにおいて、図２に示した仮置き部材をシンクの第２支持面に架け渡した状態を示す部分斜視図であり、（ｂ）は（ａ）のＣ−Ｃ線断面図である。
【図５】本発明の実施形態に係る仮置き部材の別の一例を示す斜視図である。
【発明を実施するための形態】
【００１６】
以下、図面を参照して本発明の実施形態を説明する。
ここでは、本発明のシンクユニットを備えたシステムキッチンを例に本発明の実施形態を説明する。勿論、本発明のシンクユニットはシステムキッチン以外にも用いることができ、例えば、流し台や洗面台等にも用いることができる。
図１は、本発明の実施形態に係るシンクユニットを備えたシステムキッチンの斜視図である。
システムキッチン１は、内部に収納空間が形成され、かつ前面に収納空間を開閉する扉１１と、後面に背面パネルが設けられたキャビネット部１３と、このキャビネット部１３の上部に設けられた天板１４と、この天板１４に設けられたシンク１５と、同じく天板１４に設けられたガスコンロやＩＨヒーターなどの加熱調理器１６とを備えている。
【００１７】
天板１４の左右方向両側には、開口１７、１８が形成されている。右側の開口１７には加熱調理器１６が取り付けられ、左側の開口１８には、シンク１５が取り付けられている。加熱調理器１６及びシンク１５の配置は、室内におけるシステムキッチン１の配置などに応じて適宜変更することができる。
また、システムキッチン１では、仮置き部材として水切りカゴ４１がシンク１５を前後方向に跨ぐように架設されている。即ち、システムキッチン１は、シンク１５と仮置き部材の一例である水切りカゴ４１とを備えたシンクユニットを含んでいる。
【００１８】
図２（ａ）は、本発明の実施形態に係る仮置き部材の一例の平面図であり、（ｂ）は（ａ）のＡ−Ａ線断面図であり、（ｃ）は（ａ）の側面図である。
図２（ａ）〜（ｃ）に示した仮置き部材は、水切りカゴ４１である。
水切りカゴ４１は、洗浄後の調理器具や食材等（図示せず）を収納する水切りカゴ本体４２と、カゴ本体４２に対して上下方法に回転可能に取り付けられた寸法調整部（取手）４７とからなる。
カゴ本体４２は、平面視形状が、図２（ａ）中の左右方向（Ｘ方向）を長辺とする略長方形状であり、底部４３と、この底部４３の周囲から上方へ立ち上がる周壁部４４とを備えている。底部４３及び周壁部４４は、ステンレス等からなる複数の棒材を互いに接合することにより形成されている。
より具体的には、底部４３は、長手方向（図２（ａ）中、Ｘ方向）に沿って延びる複数本の棒材４３ａと、短手方向（図２（ａ）中、Ｙ方向）に沿って延びる複数本の棒材４３ｂとが直交した状態で接合されることによって網状に形成されている。また、周壁部４４は、底部４３を構成する複数本の棒材４３ａ、４３ｂのそれぞれの両端部を上方へ屈曲することにより形成されている。
【００１９】
一方、カゴ本体４２の上部は、外縁が略長方形状の上枠部材４５を備えており、上枠部材４５は、２つの短辺４５ｂのそれぞれの近傍に、短辺４５ｂと略平行な梁部材４６を有し、梁部材４６の両端部は上枠部材４５の長辺４５ａに接合されている。
また、周壁部４４を構成する複数本の棒材４３ａは、底部４３側と反対側の端部がそれぞれ梁部材４６に接合され、周壁部４４を構成する複数本の棒材４３ｂは、底部４３側と反対側の端部が上枠部材４５の長辺４５ａに接合されている。
このようなカゴ本体４２では、上枠部材４５の長辺４５ａと梁部材４６とで囲まれた部分が、調理器具等を投入するための開口部となる。
【００２０】
さらに、水切りカゴ４１は、寸法調整部として機能する取手４７を備えている。
取手４７は、略コの字状に屈曲された棒材からなり、水切りカゴ４１をシンクに架設する際に支持される把持部４７ａと、把持部４７ａの両端のそれぞれからカゴ本体４２側に延びる連結部４７ｂとを備えている。そして、取手４７は、連結部４７ｂの把持部４７ａと反対側の端部をリング状４７ｃに加工しつつ、リング内をカゴ本体４２の梁部材４６が若干遊びのある状態で挿通するように取り付けられている。
よって、取手４７は、カゴ本体４２（梁部材４６）に対して上下方向に回転可能に取り付けられている。より具体的には、取手４７は、少なくとも連結部４７ｂが水平方向を向く水平姿勢状態（図２（ｂ）中、実線参照）から、連結部４７ｂが鉛直下方を向く下方姿勢状態（図２（ｂ）中、２点鎖線参照）まで回転可能に、カゴ本体４２に取り付けられている。
【００２１】
また、取手４７は、上述した態様でカゴ本体４２の梁部材４６に取り付けられているため、自重により下方に回転可能であり、カゴ本体４２を持ち上げるのみで、連結部４７ｂが鉛直下方を向く下方姿勢状態をとることができる。
【００２２】
このような水切りカゴ４１では、取手４７が、水平姿勢状態にある場合と、下方姿勢状態にある場合とで、長手方向（図２（ａ）中、Ｘ方向）の部材寸法が異なる。具体的には、取手４７が水平姿勢状態にある場合の長手方向の部材寸法Ｌ１は、取手４７が下方姿勢状態にある場合の長手方向の部材寸法Ｌ２よりも長くなる。
そのため、水切りカゴ４１は、取手４７をカゴ本体４２に対して上下方向に回転させ、その長手方法の部材寸法を切り替えるだけで、水切りカゴ４１の向きを変えることなく、シンク１５内に異なる高さに架設することができる。
【００２３】
また、水切りカゴ４１では、上枠部材４５の短辺４５ｂの一部、及び、取手４７の把持部４７ａの一部に樹脂製の保護部材４８が巻き付けられている。
このような保護部材４８を設けることにより、水切りカゴ４１をシンクに架設した際に、シンクに傷が付くことを防止することができ、作業時に水切りカゴ４１が不意にスライドしてしまうことを防止することができる。
なお、本発明の仮置き部材では、シンクに架設した際に、容易に水平方向にスライドさせることができるよう保護部材を設けなくてもよい。
【００２４】
図３（ａ）は、シンクユニット２において、水切りカゴ４１をシンクの第１支持面に架け渡した状態を示す部分斜視図であり、（ｂ）は（ａ）のＢ−Ｂ線断面図である。一方、図４（ａ）は、シンクユニット２において、水切りカゴ４１をシンクの第２支持面に架け渡した状態を示す部分斜視図であり、（ｂ）は（ａ）のＣ−Ｃ線断面図である。
【００２５】
図３、４に示すように、シンクユニット２は、シンク１５と、仮置き部材として水切りカゴ４１とを備えている。
シンク１５は、シンク本体１００と、シンク本体１００の上端部に外側に突出するように設けられたシンクフランジ１０１とからなり、シンク本体１００の底面の中央付近には排水用開口１０４が設けられている。シンク１５は、シンクフランジ１０１を天板１４の裏面に接着剤や固定金具等（図示せず）を用いて固定することにより、天板１４に取り付けられている。
シンクフランジ１０１は断面クランク形状であり、その上段の水平面１０１ａが天板１４に固定されている。
【００２６】
シンク１５は、その内側面に第１支持面と第２支持面とが形成されている。
本発明では、シンクの内側面に第１支持面及び第２支持面の２つの支持面が仮置き部材を支持するために形成されている。ここで、第１支持面は、高い方でかつ対向距離が長い方の一対の支持面であり、第２支持面は、低い方でかつ対向距離が短い方の一対の支持面である。
図３、４に示した実施形態では、シンク１５に開口部を前後方向に挟んで対向するシンクフランジ１０１の下段の水平面１０１ｂが第１支持面に相当する。また、シンク本体１００における前後の内壁面の深さ方向中途の位置に設けられた、水平方向に沿って延びる一対の支持部材１０３の上面１０３ａが第２支持面に相当する。
なお、本発明において、シンクの内側面とは、シンク本体及びシンクフランジの内壁面は勿論、シンクを取り付けるために天板に形成した開口の内壁面も含む。
【００２７】
図３（ａ）、（ｂ）に示すシンクユニット２では、シンクフランジ１０１の下段の水平面１０１ｂを支持面（第１支持面）とし、この支持面で水切りカゴ４１の取手４７の把持部４７ａを支持することにより、水切りカゴ４１がシンク１５を跨ぐように架け渡されている（上段架設状態ＳＵ）。このとき、水切りカゴ４１の取手４７は水平姿勢状態にある。
【００２８】
一方、図４（ａ）、（ｂ）に示すシンクユニット２では、シンク本体１００の内壁面の深さ方向中途の位置に設けられた水平方向に沿って延びる一対の支持部材１０３の上面１０３ａを支持面（第２支持面）とし、この支持面で水切りカゴ４１の上枠部材４５の短辺４５ｂを支持することのより、水切りカゴ４１がシンク１５を跨ぐように架け渡されている（下段架設状態ＳＬ）。このとき、水切りカゴ４１の取手４７は下方姿勢状態にある。
【００２９】
図３、４に示すシンクユニット２では、寸法調整部（取手４７）を備えた水切りカゴ４１を用いることにより、水切りカゴ４１を架け渡す高さを任意に選択することができる。そのため、架設高さごとに複数の水切りカゴを用意する必要がない。また、水切りカゴ４１は、部材寸法の切替えも極めて容易である。
また、シンクユニット２では、水切りカゴ４１の向きを変えることなく、架設高さ（上段架設状態ＳＵ及び下段架設状態ＳＬ）を変更することができる。そして、水切りカゴ４１は、架設高さを変更する際に向きを変える必要がないため、その幅方向（図２（ａ）中、Ｙ方向）の寸法を自由に設計することができる。勿論、幅方向の寸法は、架け渡す方向の部材寸法（Ｌ１又はＬ２）よりも大きくてもよい。
更に、水切りカゴ４１は、水平方向にスライドさせることも可能である。
【００３０】
水切りカゴ４１は、取手４７が下方に回転して下方姿勢状態をとった場合に、取手４７の下端が、カゴ本体４２の底面（底部４３がなす面）より低い位置にあるように構成されている。そのため、取手４７が下方姿勢状態をとった場合、取手４７の下端は、カゴ本体４２の下側に突出することとなる。
一方、水切りカゴ４１は、シンクに架設する以外にも、例えば、水切りプレート上などに載置して使用することもできる。そして、水切りカゴ４１を、取手４７が下方に回転した下方姿勢状態で水切りプレート上などに載置した場合、取手４７は水切りカゴ４１を支える脚部として機能し、カゴ本体４２の底部を浮かせた状態にすることができる。
このように、カゴ本体４２の底部を浮かせた状態で水切りプレート上などに載置した場合、水切れが良くなる。更に、載置場所の汚れ等を気にせず載置することができ、衛生的にも優れる。
【００３１】
このような本発明の実施形態に係る仮置き部材、及び、上記仮置き部材を備えたシンクユニットにおいて、仮置き部材やシンクの寸法は、仮置き部材をシンクの所定の位置に架設することができる寸法であれば特に限定されない。そのため、仮置き部材の用途等を考慮して適宜設定すればよい。
【００３２】
本発明において、上記仮置き部材は、上記水切りカゴに限定されるわけではなく、シンクに架設して使用する仮置き部材であれば、水切りカゴ以外であってもよい。
図５は、本発明の別の実施形態に係る仮置き部材を示す斜視図である。
【００３３】
図５に示す仮置き部材は、水切りプレート５１である。
水切りプレート５１は、厚さ方向に貫通する複数する貫通孔５９が形成された板状のプレート本体５２と、プレート本体５２の外周側面に設けられた枠部材５５と、枠部材５５に取り付けられた寸法調整部として機能する取手５７とを備えている。
水切りプレート５１では、プレート本体５２に貫通孔５９が形成されているため、水切りプレート５１上に載置した洗浄後の食材等の水切りや、流水させながらの調理等を行うことができる。
【００３４】
プレート本体５２は、ステンレス等からなる平面視略長方形の板状体に複数の貫通孔５９を形成したものである。また、プレート本体５２に４隅には、取手５７を取り付けるスペースを確保するためにＣ面取りが施されている。
枠部材５５は、ステンレス等からなる棒材を用いて作製した外縁が略長方形状の部材であり、枠部材５５は、２つの短辺５５ｂのそれぞれの近傍に、短辺５５ｂと略平行な梁部材５６を有し、梁部材５６の両端部は枠部材５５の長辺５５ａに接合されている。
水切りプレート５１では、プレート本体５２が枠部材５５の長辺５５ａと梁部材５６とで囲まれた部分の内側に、固定金具（図示せず）等を用いて固定されている。
【００３５】
取手５７は、図２に示した水切りカゴ４１が備える取手４７と同様、略コの字状に屈曲された棒材からなり、シンク１５の第１支持面１０１ｂに支持される把持部５７ａと、把持部５７ａの両端のそれぞれからプレート本体５２側に延びる連結部５７ｂとを備えている。そして、取手５７は、連結部５７ｂの把持部５７ａと反対側の端部をリング状５７ｃに加工しつつ、リング内を梁部材５６が若干遊びのある状態で挿通するように取り付けられている。
また、枠部材５５の短辺５５ｂの一部、及び、取手５７の把持部５７ａの一部には、樹脂製の保護部材５８が巻き付けられている。
【００３６】
このような水切りプレート５１においても、取手５７は、プレート本体５２に対して上下方向に回転可能で、少なくとも連結部５７ｂが水平方向を向く水平姿勢状態から、連結部５７ｂが鉛直下方を向く下方姿勢状態まで回転でき、かつ、自重により下方に回転して下方姿勢状態をとることができるように取り付けられている。
従って、水切りプレート５１もまた、図３、４に示したようなシンク１５に載置する際には、取手５７を回転させて、水切りプレート５１の部材寸法を切り替えることにより、水切りプレート５１の向きを変えることなく、シンクの内側面に形成された第１支持面１０１ｂにも、第２支持面１０３ａにも架け渡すことができる。
【００３７】
図１〜５に示したシンクユニット、及び、仮置き部材（水切りカゴ４１及び水切りプレート５１）は、いずれも本発明に係るシンクユニット及び仮置き部材の実施形態の例示であり、本発明に係るシンクユニット及び仮置き部材は、必ずしもこのような構造である必要は無い。
【００３８】
具体的には、例えば、仮置き部材を架け渡す方向は、シンクの前後方向に限定されず、シンクの左右方向であってもよい。
また、例えば、寸法調整部の構造は、図２に示した構造を有するものに限定されず、仮置き部材の部材寸法を切り替えることができるものであればよく、上述したように、仮置き部材本体に対して上下方向に回転可能に取り付けられており、寸法調整部の回転により仮置き部材の部材寸法を切り替えることができるものが好ましい。
また、例えば、仮置き部材は、調理用プレート（まな板）であっても良い。この場合、例えば、調理用プレートとしては、図５に示した水切りプレート５１において、プレート本体に貫通孔が形成されていないものを用いることができる。
【００３９】
さらには、図３、４に示したシンクユニット２では、シンクフランジ１０１の一部を第１支持面とし、シンク本体１００の内壁面に設けられた支持部材１０３の上面を第２支持面としているが、必ずしもシンクフランジを仮置き部材を架設するための支持面とする必要はなく、例えば、シンク本体の内壁面の高さの異なる位置のそれぞれに、水平方向に沿って延びる一対の支持部材を設け、高い方の支持部材の上面を第１支持面とし、低い方の支持部材の上面を第２支持面としてもよい。
また、図３、４に示したシンクユニットでは、断面クランク形状のシンクフランジを備えたシンクを用いており、上述した通り、このシンクフランジを用いて仮置き部材を架設しているが、本発明のシンクユニットが備えるシンクは、必ずしもシンクフランジが段差を備えたものでなくてもよい。
【符号の説明】
【００４０】
１  システムキッチン
２  シンクユニット
１１  扉
１３  キャビネット部
１４  天板
１５  シンク
１６  加熱調理器
１７、１８  開口
４１  水切りカゴ
４２  カゴ本体
４３  底部
４４  周壁部
４５  上枠部材
４６、５６  梁部材
４７、５７  取手（寸法調整部）
４７ａ、５７ａ  把持部
４８  保護部材
５１  水切りプレート
５２  プレート本体
５５  枠部材
５９  貫通孔
１００  シンク本体
１０１  シンクフランジ
１０１ａ、１０１ｂ  水平面
１０３  支持部材
１０４  排水用開口
ＳＵ  上段架設状態
ＳＬ  下段架設状態
【図１】
2016013283.tif 000003
【図２】
2016013283.tif 000004
【図３】
2016013283.tif 000005
【図４】
2016013283.tif 000006
【図５】
2016013283.tif 000007